(57)【要約】  【課題】本発明は、冷蔵室温度を検知して圧縮機および送風機の運転制御を行う庫内温度センサーと、庫内照明用の発光装置と、低外気温時温度補償用発熱装置を有する、安価な冷蔵庫を提供することを目的とするものである。  【解決手段】庫内の温度を検知して圧縮機９および送風機４の運転制御を行う冷蔵室温度センサー１６と、庫内照明用の発光素子１８と、低外気温時温度補償用発熱素子１９を、庫内に設けた制御基板上に直接設けたことにより、安価に目的が達成できるものである。【選択図】図４
2007298214.tif 000002
【特許請求の範囲】
【請求項１】
冷却器、送風機、圧縮機を備えた冷凍装置と、冷蔵室の温度を検知するセンサーと、前記センサーの検知した温度で前記圧縮機の運転をＯＮ／ＯＦＦする制御装置と、前記冷蔵室内に送風機から送られてきた冷気を循環させるための冷蔵室吐出ダクトと、冷蔵室戻りダクトとからなり、前記センサーは制御装置の電子基板上に直接設けたことを特徴とする冷蔵庫。
【請求項２】
前記電子基板は、庫内の背面に位置することを特徴とした請求項１に記載の冷蔵庫。
【請求項３】
前記電子基板に発光素子を備えたことを特徴とする請求項１または２に記載の冷蔵庫。
【請求項４】
前記電子基板は、発光素子より下に位置するように前記センサーを具備した請求項３に記載の冷蔵庫。
【請求項５】
発熱素子を電子基板上に設けたことを特徴とする請求項１から４のいずれか一項に記載の冷蔵庫。
【請求項６】
庫内の収納構造体の中に前記センサーを有する制御基板を格納したことを特徴とする請求項１から５のいずれか一項に記載の冷蔵庫。
【請求項７】
前記センサーを有する電子基板は、冷蔵室吐出ダクトもしくは冷蔵室戻りダクト近傍に設置したことを特徴とする請求項１から６のいずれか一項に記載の冷蔵庫。
【発明の詳細な説明】
【技術分野】
【０００１】
本発明は、冷凍室の上方に冷蔵室を形成した冷蔵庫の制御装置と照明装置に関するものである。
【背景技術】
【０００２】
従来、冷凍室の上方に冷蔵室を形成した冷蔵庫は、例えば、特許文献１が知られている。また、この種の冷蔵庫の照明装置に関しては、例えば、特許文献２のごとき技術が知られている。
【０００３】
図７から図９を参照しながら上記従来の冷蔵庫について説明する。図７は扉を外した従来の冷蔵庫の正面図で、図８は同縦断面図、図９は要部断面図である。図７から図９において、冷凍室１０１は上方に冷蔵室１０２を形成している。冷却器１０３で冷却された冷気は送風機１０４で各室に送られ、冷蔵室１０２への供給冷気は、冷蔵室１０２背面側壁に設けた冷蔵室吐出ダクト１０５を介して冷蔵室背面上部に導かれ、冷蔵室１０２内を冷却した後、冷蔵室戻りダクト１０６から冷却器１０３へ戻る。冷蔵室温度センサー１０７は冷蔵室１０２の背面下部に設けられ、冷蔵室１０２内の温度を検知し、その信号によって制御装置１０８により所定の温度に維持するべく圧縮機１０９および送風機１０４の運転制御を行う。また、冷凍室に冷気を送るため、冷凍室吐出口１１０、冷凍室吸い込み口１１１が設けられている。冷蔵室１０２背面の上部には冷蔵室内を照らす照明灯１１２が設けられ、冷蔵室１０２の扉１１３を開けた時に扉スイッチ１１４がＯＮし点灯すると共に、扉１１３を閉じたときに扉スイッチ１１４がＯＦＦし、消灯する。また、低外気温時の庫内温度補償用のヒータ１１５は、冷蔵室温度センサー１０７の近傍に設けられている。
【０００４】
以上のように構成された冷蔵庫の冷却方法について、以下その動作を説明する。まず、冷蔵室温度センサー１０７が冷蔵室１０２の温度が、設定温度以上になったことを検知すれば、制御装置１０８が、圧縮機１０９の運転を開始すると同時に、冷却器１０３で冷却された冷気を冷凍室１０１、冷蔵室１０２の各室へ送るために送風機１０４も回転させる。そして、冷凍室吐出口１１０から冷凍室１０１へ供給された冷気は、冷凍室１０１内を冷却した後、冷凍室吸い込み口１１１から冷却器１０３へ戻る。一方、冷蔵室１０２へは、冷蔵室吐出ダクト１０５を通った冷気が導かれ、冷蔵室１０２を冷却する。冷蔵室１０２内を循環した後、戻りダクト１０６から冷却器１０３へ戻る。そして、冷蔵室温度センサー１０７が設定温度以下になれば、制御装置１０８が圧縮機１０９および送風機１０４を停止させる。以上のようなサイクルを繰り返し、冷蔵庫の冷凍室１０１内、冷蔵室１０２内は、設定温度に維持されることになる。
【０００５】
また、冷蔵室１０２の扉１１３を開いたときに扉スイッチ１１４がＯＮし、照明灯１１２が点灯し、冷蔵室１０２内に収納した食品などが容易に見える。
【０００６】
更に、本冷蔵庫のごとき１個の庫内温度センサーで摂氏マイナス１８度以下の冷凍室１０１と、摂氏５度程度の冷蔵室１０２など、複数の温度帯の部屋を冷却制御する形式の冷蔵庫では、冷蔵室１０２の温度のみで冷凍室１０１の温度を制御することになるが、例えば、摂氏５度くらいの低外気温時には、冷蔵室１０２は冷却運転をしなくても所定の温度が維持できる。一方、摂氏５度程度の低外気温時で有っても、冷凍室１を摂氏マイナス１８度以下に冷却する為には、冷却運転が必要である。従って、制御装置１０８が圧縮機１０９のｏｎ／ｏｆｆサイクルの運転率を検知して、運転率が所定の値以下になったときに低外気温度になったと判断し、冷蔵室１０２内の低外気温補償用のヒータ１１５に通電し、強制的に冷蔵室１０２の温度を上げ、冷却運転の運転率を上げることによって、冷凍室１０１を所定の温度に確保する。
【特許文献１】特開平５−１２６４５３号公報
【特許文献２】実開平６−５６６８１号公報
【発明の開示】
【発明が解決しようとする課題】
【０００７】
しかしながら、上記従来の構成では、冷蔵室１０２の温度を冷蔵室温度センサー１０７で検知して、制御装置１０８が、圧縮機１０９および送風機１０４の運転制御を行う構成となっているので、上記個々の専用部品を配設する必要が有り、コスト面で高い仕様になっていた。
【０００８】
また、照明灯１１２や庫内温度補償用ヒータ１１５など、専用の部品の配設が必要であった。
【０００９】
本発明は従来の課題を解決するもので、制御装置の電子基板上に設けた冷蔵室センサーで、冷蔵室温度を検知することで、専用のセンサー部品の冷蔵室内への配設が不要で、安価な冷蔵庫を提供することを目的とする。
【００１０】
また、照明灯についても前記制御装置の電子基板上に発光素子を設けることで専用の部品を設置しないでも、庫内に収納した食品が見えることを目的とする。
【課題を解決するための手段】
【００１１】
上記従来の課題を解決するために、本発明の冷蔵庫は、冷却器、送風機、圧縮機を備えた冷凍装置と、冷蔵室の温度を検知するセンサーと、前記センサーの検知した温度で前記圧縮機の運転をＯＮ／ＯＦＦする制御装置と、前記冷蔵室内に送風機から送られてきた冷気を循環させるための冷蔵室吐出ダクトと、冷蔵室戻りダクトとからなり、前記センサーは制御装置の電子基板上に直接設けたものである。
【００１２】
これによって、専用のセンサー部品の冷蔵室内への配設が不要となる。
【発明の効果】
【００１３】
本発明の冷蔵庫は、専用のセンサー部品の冷蔵室内への配設が不要となり、安価な冷蔵庫を提供することができる。
【発明を実施するための最良の形態】
【００１４】
請求項１に記載の発明は、冷却器、送風機、圧縮機を備えた冷凍装置と、冷蔵室の温度を検知するセンサーと、前記センサーの検知した温度で前記圧縮機の運転をＯＮ／ＯＦＦする制御装置と、前記冷蔵室内に送風機から送られてきた冷気を循環させるための冷蔵室吐出ダクトと、冷蔵室戻りダクトとからなり、前記センサーは制御装置の電子基板上に直接設けたことにより、専用のセンサー部品の冷蔵室内への配設が不要となり、安価な冷蔵庫を提供することができる。
【００１５】
請求項２に記載の発明は、請求項１に記載の発明において、前記電子基板は、庫内の背面に位置することにより、低コスト化を図りながら庫内温度の検知をより正確に行うことができ、より精度の高い冷蔵庫内の温度制御をすることができる。
【００１６】
請求項３に記載の発明は、請求項１または２に記載の発明において、前記電子基板に発光素子を備えたので、庫内の視認性を高めながら、照明装置を含めた低コスト化を図ることができる。
【００１７】
請求項４に記載の発明は、請求項３に記載の発明において、前記電子基板は、発光素子より下に位置するようにセンサーを具備したものであり、発光素子から発せられる熱の影響を最小限におさえられることにより、より精度の高い冷蔵庫内の温度を制御することができる。
【００１８】
請求項５に記載の発明は、請求項１から４のいずれか一項に記載の発明において、発熱素子を電子基板上に設けたものであり、低外気温時には、温度補償用の発熱素子が発熱するので、圧縮機の運転率から電子基板上に設けた発熱体の通電を制御し、所望の冷凍室温度を確保することができる。
【００１９】
請求項６に記載の発明は、請求項１から５のいずれか一項に記載の発明において、庫内の収納構造体の中に前記センサーを有する制御基板を格納したものであり、電子基板に結露して、誤動作したり、また湿気によって錆などが発生して、不具合の生じるのを防止することができる。
【００２０】
請求項７に記載の発明は、請求項１から６のいずれか一項に記載の発明において、前記センサーを有する電子基板は、冷蔵室吐出ダクトもしくは冷蔵室戻りダクト近傍に設置したので、ダクトの温度変化の影響を大きく受けることになり、庫内温度をより敏感に検知できる。
【００２１】
以下、本発明の実施形態について、図面を参照しながら説明する。なお、この実施の形態によってこの発明が限定されるものではない。
【００２２】
（実施の形態１）
図１は、本発明の実施の形態１による冷蔵庫の扉を除去した状態を示す正面図である。図２は、同冷蔵庫の縦断面図である。図３は、同冷蔵庫の要部断面図である。
【００２３】
図１から図３において、冷蔵室の温度をするための検知するセンサー１６は、制御装置８の電子基板１７上に設けられ、冷蔵室２の温度変化を検知し、圧縮機９および送風機４の運転制御を行う。制御装置８は冷蔵室２背面の側壁に設けられた冷蔵室吐出ダクト５の近傍に設けられ、センサー１６が庫内の温度を感熱することができる。圧縮機９の運転により冷却器３で生成された冷気は、送風機４により、冷凍室吐出口１０から大部分が冷凍室１に送られる。他方、残りの一部の冷気は、冷蔵室吐出ダクト５を介して冷蔵室２内に供給される。冷凍室１を冷却した冷気は、冷凍室吸い込み口１１から冷却器３に帰還し、冷蔵室２を循環して冷却した冷気は戻りダクト６から冷却器３に帰還する。
【００２４】
以上のように構成された冷蔵庫について、以下その動作を説明する。冷蔵室の温度を検知するセンサー１６の温度が設定温度よりも高くなれば圧縮機９および送風機４の運転が開始され、冷却器３で冷却された冷気が冷凍室吐出口１０から冷凍室１へ送られると共に、冷蔵室吐出ダクト５を通り冷蔵室２へ送られる。また、冷凍室１を冷却した後の冷気は、冷凍室吸い込み口１１から冷却器３に帰還すると共に、冷蔵室２内を循環した後の冷気は、冷蔵室戻りダクト６から冷却器３へ戻ることとなる。そして、センサー１６が設定温度以下になれば、圧縮機９および送風機４の運転が停止され、冷却運転が終了するという一連の冷凍サイクルが繰り返され、冷凍室１、冷蔵室２のそれぞれの部屋が所定の温度に維持される。
【００２５】
以上のように本実施の形態においては、冷蔵室内の制御装置の電子基板上にセンサーを設けることにより、圧縮機および送風機の運転を制御することができ、専用の冷蔵室温度センサーを冷蔵庫背面に設けずに済むので、簡単で安価な冷蔵庫を提供することが出来る。
【００２６】
（実施の形態２）
図４は、本発明の実施の形態２による冷蔵庫の要部断面図である。図５は、同冷蔵庫の電子基板全体を覆う気密構造体が取付いた縦断面図である。図６は、同冷蔵庫の電子基板全体を覆う気密構造体の正面図である。
【００２７】
図４から図６において、冷蔵室の室内を照らす発光素子１８は、制御装置８の電子基板１７上で、かつ冷蔵室温度センサー１６より上に位置する様に設置している。発熱素子１９は、制御装置８の電子基板１７上で冷蔵室温度センサー１６の近傍下側に設けられ、低外気温時に冷凍室１、冷蔵室２各部屋の温度を維持すべく通電制御され、低外気温度補償する。また、制御装置８は、気密構造体２０内に格納され、電子基板１７に結露して、誤動作したり、湿気によって錆などが発生して、不具合の生じるのを防止している。
【００２８】
また、センサー１６を具備する制御装置８は、冷蔵室吐出ダクト５もしくは冷蔵室戻りダクト６近傍に設置することにより、冷蔵室２内部の温度変化を敏感に検知できる。
【００２９】
以上のように構成された冷蔵庫についてその動作を説明する。まず、冷蔵室２の扉１３を開けると、扉スイッチ１４がＯＮし発光素子１８が点灯し、収納した食品などが見やすくなる。また、扉１３を閉じたときには扉スイッチ１４がＯＦＦし、発光素子１８は消灯する。発光素子１８は、光を放つと同時に若干の発熱を生じるが、この発熱による暖まった空気は上方に上昇する。このため、発熱による影響が電子基板１７の冷蔵室温度センサー１６に及ばないように、発光素子１９は、冷蔵室温度センサー１６より上側に設置されている。
【００３０】
また、逆に発熱素子１９は、必要最小限の発熱量で低外気温度補償の効果を得るために、制御装置８の電子基板１７上で冷蔵室温度センサー１６の直下など近傍に設置している。
【００３１】
また、制御装置８は気密構造体２０に格納され、電子基板１７に結露して誤動作したり、湿気によって錆などが発生して、不具合の生じるのを防止しているが、上記の如く発光素子１９や、発熱素子２０が通電されると本気密構造体２０の内部の圧力が上昇し、外部からの湿気の侵入を防ぐ効果が得られる。
【００３２】
また、センサー１６を有する電子基板８は、冷蔵室吐出ダクト５もしくは戻りダクト６近傍に設置したことにより温度変化が大きく、庫内温度をより敏感に検知できる。
【００３３】
以上のように本実施の形態においては、冷蔵室の背面の側壁に設けた冷蔵室吐出ダクトの近傍に制御装置を設け、冷蔵庫内の温度を感熱し圧縮機および送風機の運転制御を行うとともに、この電子基板上に冷蔵室温度センサー、発光素子、発熱素子を効果的に配置したことにより、低外気温時に冷凍室、冷蔵室の各部屋の温度を維持すべく通電制御が効果的にされ、低外気温度補償すると共に、発光素子の通電による冷蔵室温度センサーへの悪影響も防止することができる。
【産業上の利用可能性】
【００３４】
以上のように、本発明にかかる冷蔵庫は、庫内に設けた制御基板上に、冷蔵室温度を検知して圧縮機および送風機の運転制御を行う庫内温度センサーと、庫内を照らす発光素子と、低外気温補償のための発熱素子を設けたことで、コストダウンが可能となるので、小型冷蔵庫に拘わらず、あらゆる形態の冷蔵庫や、食品収納庫等の用途にも幅広く適用できる。
【図面の簡単な説明】
【００３５】
【図１】本発明の実施の形態１による冷蔵庫の扉を除去した状態を示す正面図
【図２】同実施の形態の冷蔵庫の縦断面図
【図３】同実施の形態の冷蔵庫の要部断面図
【図４】本発明の実施の形態２による冷蔵庫の要部断面図
【図５】同実施の形態の電子基板全体を覆う気密構造体が取付いた縦断面図
【図６】同実施の形態の気密構造体の正面図
【図７】従来の冷蔵庫の扉を除去した状態を示す正面図
【図８】従来の冷蔵庫の縦断面図
【図９】従来の冷蔵庫の要部断面図
【符号の説明】
【００３６】
２    冷蔵室
３    冷却器
４    送風機
５    冷蔵室吐出ダクト
６    冷蔵室戻りダクト
８    制御装置
９    圧縮機
１６  センサー
１７  電子基板
１８  発光素子
１９  発熱素子
２０  気密構造体
【図１】
2007298214.tif 000003
【図２】
2007298214.tif 000004
【図３】
2007298214.tif 000005
【図４】
2007298214.tif 000006
【図５】
2007298214.tif 000007
【図６】
2007298214.tif 000008
【図７】
2007298214.tif 000009
【図８】
2007298214.tif 000010
【図９】
2007298214.tif 000011